(57)【要約】【課題】どの方向からも筆記面に筆記できるように、複数のペン先片を環状に配列し、各ペン先片の先端を全体形状が先窄み状となるよう集合してなるペン先において、筆記時の筆圧によりペン先片が後退し、万年筆のペン先のように筆跡幅が変化可能で抑揚感のあるペン先を得る。【解決手段】インキ流通路１３を有し、該インキ流通路１３に連通したスリット１４を設けた内部材８を、先窄み状の前方部９ａを有し、該前方部９ａの先端部９ａｂの内外を連通するスリット１５を有した外筒部材９に挿入し、複数のペン先片５の先端を先窄み状にしたペン体３を、外筒部材９対して前後動可能に外筒部材９の前方部９ａを被覆するように配する。軸体２内に、該軸体２に対して内部材８は前後動することなく、ペン体３および外筒部材９は前後動可能に挿着する。かつペン体３が後退した後に外筒部材９がペン体３に連動して後退するようにする。【選択図】図２
2012071454.tif 000002
【特許請求の範囲】
【請求項１】
少なくとも後端に貫通した貫通孔に繊維束状のインキ誘導芯を挿入してなるインキ流通路と、側面にインキ誘導芯の外側面と外方とを連通するように設けたスリットを有した内部材を、先窄み状の前方部を有し、該前方部の先端部に内外を連通するように設けたスリットを有した外筒部材に、該外筒部材に対して前後動可能に挿着し、一端側に撓み可能な複数のペン先片を有し、他端側を各ペン先片の後端を連接した連接部とし、各ペン先片の先端部に軸心方向に延び先端に開口した切割溝で形成したインキ流出路を有したペン体を、連接部を環状にして外筒部材の外周上に配して各ペン先片を環状に配列し、各ペン先片の先端を全体形状が先窄み状となるように集合して外筒部材の前方部を被覆し、各ペン先片のインキ流出路が対向する外筒部材の前方部の外壁面と各ペン先片の内壁面との間に毛管作用によりインキ溜り部となる空間部を形成するとともに、外筒部材に対して前後動可能に配し、軸体内に、内部材が軸体に対して前進することなく、ペン体および外筒部材が軸体および内部材に対して前後動可能に、かつペン体と外筒部材をばねにより前方方向に各々付勢して挿着し、筆記時の筆圧によりペン体が内部材に対し後退した後に外筒部材が内部材に対して後退可能としたことを特徴とするペン先。
【請求項２】
前記インキ溜り部となる空間部を、外筒部材の前方部に、各ペン先片に当接する当接部を設けるとともに、該当接部より前方の部分の外筒部材の先端部の外径を、当接部の外径より小径として形成したことを特徴とする、請求項１に記載のペン先。
【発明の詳細な説明】
【技術分野】
【０００１】
本発明は、複数のペン先片を環状に配列し、各ペン先片の先端を全体形状が先窄み状となるように集合したペン先に関する。
【背景技術】
【０００２】
従来、どの方向からも筆記面に筆記できるペン先として、複数のペン先片を環状に配列して設けるとともに、各ペン先片の先端を全体形状が先窄み状となるように集合したペン先は知られている。
【０００３】
こうした構造のペン先として、例えば、特開平９−１５６２７９号公報により開示されている、筒形状の基部と、その一端側に、連続して断面円弧状に突出され、軸心の円周上に等間隔に相互の間にスリット状の溝を設けて形成された複数の櫛歯状片とからなり、各櫛歯状片の先端に全体として半球形状を構成する半球分割部を有するペン先基本体と、ペン先基本体の外周状に嵌合可能な筒形に形成され、複数の櫛歯状片を軸心方向に向けて押圧し、収束する収束部材とを備え、ペン先基本体に収束部材を嵌め込むことにより、ペン先基本体の複数の櫛歯状片をその先端方向に向けて漸次縮径する円錐形に収束し、その先端に半球状の筆記部を構成してなる構造のものがある。
【０００４】
また、特開２００３−３３５０８９号公報には、全体が先端方向に向けて漸次略円錐形に収束可能な複数に分離された櫛歯状片と、これら櫛歯状片を円周上に配列可能な保持部材と、これらの櫛歯状片を収束可能な収束部材とを備え、複数に分離された櫛歯状片が別体の保持部材及び収束部材により組み立てられてなる構造が開示されている。
【０００５】
ところで、万年筆におけるペン先では、筆記時における筆圧によりペン先の先端に形成された切割溝により先端が開き、紙面等の筆記面へインキを流出するための前記切割溝で構成されたインキ流出路の幅が広くなるので、筆跡幅に変化をもたらすことができるが、前記したような、複数のペン先片を環状に配列し、各ペン先片の先端を全体形状が先窄み状となるよう集合したペン先においては、筆記面へインキを流出するためのインキ流出路は、各櫛歯状片（ペン先片）間の隙間で構成しているために、筆記時における筆圧により各櫛歯状片（ペン先片）間の隙間量はあまり変化しないので、万年筆のように筆記時の筆圧により筆跡幅が変化することはなかった。また、前記構造のペン先では、筆記時の筆圧により各ペン先片が後退することがないので抑揚感がないという問題があった。
【先行技術文献】
【特許文献】
【０００６】
【特許文献１】特開平９−１５６２７９号公報
【特許文献２】特開２００３−３３５０８９号公報
【発明の概要】
【発明が解決しようとする課題】
【０００７】
本発明は前記事実に鑑みてなされたもので、どの方向からも筆記面に筆記できるように、複数のペン先片を環状に配列し、各ペン先片の先端を全体形状が先窄み状となるよう集合してなるペン先において、筆記時の筆圧によりペン先片が後退し、万年筆のペン先のように筆跡幅が変化可能で抑揚感のあるペン先を得ることにある。
【課題を解決するための手段】
【０００８】
本発明は、
「１．少なくとも後端に貫通した貫通孔に繊維束状のインキ誘導芯を挿入してなるインキ流通路と、側面にインキ誘導芯の外側面と外方とを連通するように設けたスリットを有した内部材を、先窄み状の前方部を有し、該前方部の先端部に内外を連通するように設けたスリットを有した外筒部材に、該外筒部材に対して前後動可能に挿着し、一端側に撓み可能な複数のペン先片を有し、他端側を各ペン先片の後端を連接した連接部とし、各ペン先片の先端部に軸心方向に延び先端に開口した切割溝で形成したインキ流出路を有したペン体を、連接部を環状にして外筒部材の外周上に配して各ペン先片を環状に配列し、各ペン先片の先端を全体形状が先窄み状となるように集合して外筒部材の前方部を被覆し、各ペン先片のインキ流出路が対向する外筒部材の前方部の外壁面と各ペン先片の内壁面との間に毛管作用によりインキ溜り部となる空間部を形成するとともに、外筒部材に対して前後動可能に配し、軸体内に、内部材が軸体に対して前進することなく、ペン体および外筒部材が軸体および内部材に対して前後動可能に、かつペン体と外筒部材をばねにより前方方向に各々付勢して挿着し、筆記時の筆圧によりペン体が内部材に対し後退した後に外筒部材が内部材に対して後退可能としたことを特徴とするペン先。
２．前記インキ溜り部となる空間部を、外筒部材の前方部に、各ペン先片に当接する当接部を設けるとともに、該当接部より前方の部分の外筒部材の先端部の外径を、当接部の外径より小径として形成したことを特徴とする、前記１項に記載のペン先。」
である。
【０００９】
本発明は、筆記時の筆圧によりペン体が軸体に対して後退可能とするが、ペン体のみが軸体に対して後退可能とすると、ペン体にインキを流出するための先窄み状の前方部を有した外筒部材の前方部の先端にペン体の各ペン先片が当接して各ペン先片の先端が軸径方向に拡開し過ぎてしまう。拡開し過ぎると筆記具としてのインキ出性能に悪影響が生じたり、開口した各ペン先片の先端からインキが垂れて筆記面を汚してしまうという問題が生じてしまうので、本発明においては、外筒部材も軸体に対して後退可能とし、各ペン先片の先端が軸径方向に拡開し過ぎないようにしている。
【発明の効果】
【００１０】
本発明は前記したような構造なので、どの方向からも筆記面に筆記でき、筆記時における筆圧により各ペン先片の先端は切割溝により開くので、ペン先片の幅が拡がり筆跡幅に変化をもたらすことが可能であり、ペン体が筆記時の筆圧により後方に移動するので、抑揚感を感ずることができる。また、外筒部材も筆圧により後退するので、ペン体が後退して各ペン先片の先端部が外筒部材の先窄み状の前方部の先端部に当接することによる各ペン先片の先端が軸径方向に拡開し過ぎることがないので、筆記具としてのインキ出性能の悪化や、開口した各ペン先片の先端からインキが垂れて筆記面を汚してしまうという問題を起こすことがない。
【００１１】
請求項２に係る発明とすることで、筆記時の筆記圧によりペン体が後退しても、各ペン先片のインキ流出路が対向する外筒部材の前方部の外壁面と各ペン先片の内壁面との間に毛管作用によりインキ溜り部となる空間部を常に形成することができ、インキ出性能の悪化を防止することができる。
【図面の簡単な説明】
【００１２】
【図１】本発明のペン先の実施例を示した、ペン先の斜視図である。
【図２】図１におけるペン先の内部構造の概略を示す、要部を断面した図である。
【図３】図２におけるＡ−Ａ線部分の拡大端面図である。
【図４】図２におけるＢ−Ｂ線部分の拡大端面図である。
【図５】本実施例におけるペン体の斜視図である。
【図６】図２において、ペン体および外筒部材を軸体に対して後退させた状態を示す図である。
【図７】図１におけるペン先を装着した筆記具の具体例を示した、筆記具の内部構造の概略を示した図である。
【図８】図１におけるペン先を装着した筆記具の他の具体例を示した、筆記具の内部構造の概略を示した図である。
【発明を実施するための形態】
【００１３】
本発明のペン先は、一端側に撓み可能な複数のペン先片を有し、他端側を各ペン先片の後端を連接した連接部とし、各ペン先片の先端部に軸心方向に延び先端に開口した切割溝で形成したインキ流出路を有したペン体を、該ペン体にインキを流出するための先窄み状の前方部を有した外筒部材に配し、筆記時の筆圧によりペン体および外筒部材を後方へ移動可能に軸体内に装着し、かつペン体および外筒部材を各々のばねにより前方方向に付勢する。
【実施例】
【００１４】
本発明のペン先の実施例を、図１〜図６を用いて説明する。本実施例のペン先１は、軸体２に装着するペン体３を、先ず、一端側に隙間４介して６枚のペン先片５を有し、他端側を連接して連接部６とした、各ペン先片５が撓み可能に平板状に形成し、各ペン先片５の先端部に軸心方向に延び先端に開口した切割溝で形成したインキ流出路７を設け、連接部６を環状にして各ペン先片５を周状に配列し、各ペン先片５をプレス等により内側に変形して略円錐状となるようにペン先片５の先端を集合して形成してある（図５を参照）。
【００１５】
本実施例のペン先１を装着した筆記具の軸筒（図示せず）内に収容したインキをペン体３に供給するためのインキ供給手段である、先端に小径な棒状突出部８ａを有し、後端に大径な鍔部８ｂを有した内部材８を、先窄み状の前方部９ａを有し、該前方部９ａの先端部９ａｂに前記内部材８の棒状突出部８ａを挿入可能な挿入部９ｂを有し、外径を前記内部材８の鍔部８ｂの外径より小径とした外筒部材９に、鍔部８ｂを外筒部材９の後端より後方（図２において右側）に位置させて、棒状突出部８ａを挿入部９ｂに挿入して外筒部材９を内筒部材８に対して前後動可能に配し、その内部材８と外装部材９を軸体２内に挿着してある。
【００１６】
軸体２の内部形状は、前方内部２ａと、前記内部材８の鍔部８ｂが挿入可能な前方内部２ａの内径より大径な後方内部２ｂとで構成しており、外筒部材９を前方内部２ａに遊嵌し、内部材８の鍔部８ｂを後方内部２ｂに圧入状態で挿着し、前方内部２ａの後端に当接してある。
【００１７】
外筒部材９は、後端に底部９ｃを有しており、該底部９ｃが内部材８の鍔部８ｂの前方に形成した小径な小径部８ｃにより構成される段部１０に当接して外筒部材９が内部材８の前方から抜け出さないようにしてある。外筒部材９は軸径方向に２分割した構造であり、外筒部材９の外周面にリング状の支持部材１１を装着して、外筒部材９が分離しないようにしてある。
【００１８】
内部材８には、棒状突出部８ａの先端と鍔部８ｂの後端に開口して貫通した貫通孔１２を形成して、内部に繊維束状のインキ誘導芯を挿入してなるインキ流通路１３を設けてある。また、棒状突出部８ａの先端には、図３に示すように、棒状突出部８ａの内外を連通する軸心方向に延びたスリット１４を４つ設けてある。外筒部材９の前方部９ａの先端部９ａｂの前記スリット１４対向した部分には、先端部９ａｂの内外を貫通するスリット１５を４つ設けてある。
【００１９】
前記連接部６を環状にして各ペン先片５を環状に配列したペン体３を、外筒部材９の前方部９ａを被覆するようにして軸体２内に前後動可能に挿入してある。外筒部材９のスリット１５の周りの外壁面と各ペン先片５のインキ流出路７の周り壁面との間に毛管作用によりインキ溜り部となる空間部１６が形成されるように、スリット１５の後方（図２おいて右側方向）に、外筒部材９の外壁面が各ペン先片３の内壁面に当接するように外筒部材９に当接部１７を設けるとともに、スリット１５を設けた部分の先端部９ａｂの外径を、当接部１７の外径より小径としてある。
【００２０】
前記ペン体３の連接部６の外周上の軸体２の内部には、円筒状の移動体１８を、軸体２に対して前後に移動可能に挿入してあり、移動体１８の内壁面には、内方に向って突出したリング状の突出部１８ａを設けてあり、該突出部１８ａの前方端面をペン体３の連接部６の後端に当接して配してある。突出部１８ａの前方の移動体１８の内壁面の対向した２カ所にはガイド突起１９を接着剤等により固着してあり、該ガイド突起１９をペン体３に形成したガイド突起１９の大きさと略同等の係止孔２０（図５を参照）に嵌合して突出させ、前記支持部材１１と外筒部材９に形成した、前記係止孔２０の軸心方向の幅より幅広の係止孔２１、２２に挿入して内部材８に突出させ、該内部材８に設けた前記係止孔２２、２３の軸心方向の幅より幅広のガイド溝２３に係合させてある。こうした構造により、軸体２内に挿着した移動体１８、ペン体３、支持部材１１および外筒部材９は、内部材８に対して抜け落ちることなくまた回動することなく前後動可能としてある。
【００２１】
前記移動体１８の突出部１８ａの後端面と内部材８の鍔部８ｂの前端面との間にコイルスプリン２４を張架して、ペン体３および移動体１８を内部材８に対して前方方向に弾発してある。また、外筒部材９に装着した支持部材１１の後端を支持する外筒部材９のリング状の突出部９ｄの後端を小径として形成したコイルスプリング受け部２５と内部材８の鍔部８ｂの前端面との間にコイルスプリン２６を張架して、支持部材１１および外筒部材９を内部材８に対して前方方向に付勢してある。コイルスプリング２４の移動体１８への弾発力はコイルスプリング２６の外筒部材９への弾発力より弱くしてあり、筆圧により先ずペン体３が後方に移動し、ガイド突起１９が外筒部材９および支持部材１１の係止孔２２、２１を構成する後方の壁面に当接することで外筒部材９および支持部材１１が内部材８に対して後方に移動するようにしてある。
【００２２】
本実施例のペン先１においては、筆記具として使用可能とするために筆記具を構成する部材に着脱自在に装着できるように、軸体２の後端部には雌ねじ部２７を設けてあるが、装着構造については限定されるものではない。また、本実施例において内部材８は、軸体２内に鍔部８ｂを圧入状態で挿入することで挿着してあり、前記コイルスプリング２４、２６を配したことで筆記時の筆圧時に内部材８が軸体２の後端側に付勢され、内部材８が軸体２の後端側から抜け出してしまう心配が生じるかもしれないが、本実施例のペン先１を筆記具として使用するために、筆記具を構成する他の部材に装着するので、前記他の部材により内部材８の鍔部８ｂを支持するようにすれば問題はない。
【００２３】
本実施例のペン先１は、筆記具を構成する軸筒内に収容したインキを内部材８に形成したインキ流通路１３を通ってスリット１４を介して外筒部材９の前方部９ａの先端部９ａｂに流出し、外筒部材９のスリット１５を介して空間部１６にインキが溜り、インキ流出路７を通ってペン体３の先端にインキを充分に供給する。また、図６に示すように、筆記時における筆圧により、ペン体３が後退した後に外筒部材９もペン体３に連動して後退するので、万年筆のペン先のように筆記時における抑揚感を感ずることができる。また、必要以上に各ペン先片５の先端側の部分に外筒部材９の前方部９ａの当接部１７に当接することがないので、各ペン先片５が軸径方向に拡開し過ぎることがなく、インキ出性能の悪化をもたらすことがない。
【００２４】
次に、本実施例のペン先１を装着した筆記具の具体例を図７および図８を用いて簡単に説明すると、図７に示す筆記具１０１は、例えば、軸筒１０２の内部に筆記用インキ（図示せず）を直に収容する構造のもので、軸筒１０２の内部をインキ収容部１０３とし、軸筒１０２の先端には、櫛溝１０４と前後端に開口して連通したインキ流出溝（図示せず）を有したペン芯１０５をペン芯保持部材１０６を介して装着してある。前記したペン先１を、該ペン先１の軸体２に形成した雌ねじ部２７と軸筒１０２に形成した雄ねじ部１０７とをねじ嵌合して軸筒１０２に連接し、ペン芯１０５の前端を内部材８の鍔部８Ｃの後端に当接して、ペン芯１０５のインキ流出溝とインキ流通路１３を連通させることで、ペン体３の先端にインキを供給可能としてある。
【００２５】
図８に示す筆記具２０１は、例えば、前記ペン先１を装着する軸筒２０２は、前軸２０２ａと後軸２０２ｂとで構成されており、前軸２０２ａには、櫛溝２０３と前後端に開口して連通したインキ流出溝（図示せず）を有し、後端にインキカートリッジ２０４を挿着した際に、インキカートリッジ２０４の開口部を閉塞した蓋（図示せず）をずらして開口部を開口するための後方（図８において右側方向）に突出した突出部２０５を有したペン芯２０６を、ペン芯保持部材２０７を介して装着してある。前軸２０２ａの後端には、該前軸２０２ａにねじ嵌合により着脱自在に、後端を閉塞し前記ペン芯２０６に挿着したインキカートリッジ２０４を収容可能な収容室２０８を有した後軸２０２ｂを連接してある。前記したペン先１は、該ペン先１の軸体２に形成した雌ねじ部２７と前軸２０２ａに形成した雄ねじ部２０８とをねじ嵌合して前軸２０２ａに連接し、前軸２０２ａに装着したペン芯２０６の前端を内部材８の鍔部８ｂの後端に当接して、ペン芯２０６のインキ流出溝とインキ流通路１３を連通させることで、ペン体３の先端にインキを供給可能としてある。
【産業上の利用可能性】
【００２６】
本発明は、どの方向からも筆記面に筆記できる無方向性のペン体を挿着したペン先において、ペン体を筆記時の筆圧により後方へ移動可能とした構造にしたい場合に適用できる。
【符号の説明】
【００２７】
１  ペン先
２  軸体
３  ペン体
５  ペン先片
６  連接部
７  インキ流出路
８  内部材
９  外筒部材、９ａ  前方部、９ａｂ  先端部
１２  貫通孔
１３  インキ流通路
１４、１５  スリット
１６  空間部
２４、２６  コイルスプリング
【図１】
2012071454.tif 000003
【図２】
2012071454.tif 000004
【図３】
2012071454.tif 000005
【図４】
2012071454.tif 000006
【図５】
2012071454.tif 000007
【図６】
2012071454.tif 000008
【図７】
2012071454.tif 000009
【図８】
2012071454.tif 000010